(57)【要約】【課題】  両親媒性分子をビーズの表面に対する方向を揃えて固定するとともに、該ビーズを軟質樹脂などの上に形成されたキャピラリ内に配列してキャピラリビーズアレイを製作し、ユーザにとって付加価値の高いキャピラリビーズアレイを提供する。【解決手段】  容器601に水を注ぎ水相602を製作し、水よりも比重が大きく親水性部分603を表面に持つビーズ604を容器に入れ、ビーズを水相に沈め、水相に親水性部分606と疎水性部分607を持つ両親媒性分子608を滴下し、容器に水よりも比重が小さい油を静かに注ぎ水相の上に油相605を製作し、水相と油相の間に油／水界面609を形成し、油／水界面に広がる両親媒性分子の単分子膜610を形成し、ビーズ捕捉器先端611を容器の上に移動し、ビーズ捕捉器先端を水相まで下降し、水相にある単一のビーズ612を捕捉し、ビーズ捕捉器先端を上昇し、単一のビーズを油／水界面まで上昇し、ビーズ表面の親水性部分に含まれる官能基613と両親媒性分子の親水性部分に含まれる官能基614を共有結合し、ビーズ表面に両親媒性分子の単分子層615を強固に形成する。【選択図】  図５
2005114576.tif 000002
【特許請求の範囲】
【請求項１】
表面に共有結合を介して両親媒性分子の単分子層を固定したビーズ。
【請求項２】
(1)空気と水により形成される気／水界面、(2)空気と油により形成される気／油界面、または(3)油と水により形成される油／水界面のいずれかの界面に両親媒性分子の単分子膜を形成する工程と、ビーズ捕捉器により単一のビーズを捕捉する工程と、該ビーズを捕捉したビーズ捕捉器先端を該界面と垂直方向に移動させることにより、該ビーズを両親媒性分子の単分子膜と垂直方向に移動させ、該ビーズの表面に両親媒性分子の単分子層を固定する工程とを含むことを特徴とする、表面に両親媒性分子の単分子層を固定したビーズの製造方法。
【請求項３】
請求項２に記載の表面に両親媒性分子の単分子層を固定したビーズの製造方法において、前記該ビーズを捕捉したビーズ捕捉器先端を該界面と垂直方向に移動させることにより、該ビーズを両親媒性分子の単分子膜と垂直方向に移動させ、該ビーズの表面に両親媒性分子の単分子層を固定する工程を複数回繰り返すことにより、該ビーズの表面に両親媒性分子の単分子層を複数層固定することを特徴とする、表面に両親媒性分子の単分子層を固定したビーズの製造方法。
【請求項４】
請求項２または３に記載の表面に両親媒性分子の単分子層を固定したビーズの製造方法において、容器に水を注いで水相を作製し、水よりも比重が大きく親水性部分を表面に持つビーズを容器に入れ、ビーズを水相に沈め、容器内の空気と水相の間に気／水界面を形成し、気／水界面上に親水性部分と疎水性部分を持つ両親媒性分子を滴下し、気／水界面上に両親媒性分子の単分子膜を形成し、ビーズ捕捉器先端を容器の上に移動し、ビーズ捕捉器先端を水相に沈め、水相にある単一のビーズを捕捉し、ビーズ捕捉器先端を上昇させ、単一のビーズを気／水界面まで上昇し、ビーズ表面の親水性部分に含まれる官能基と両親媒性分子の親水性部分に含まれる官能基を共有結合し、ビーズ表面に両親媒性分子の単分子層を形成することを特徴とする、表面に両親媒性分子の単分子層を固定したビーズの製造方法。
【請求項５】
請求項２または３に記載の表面に両親媒性分子の単分子層を固定したビーズの製造方法において、容器に水を注いで水相を作製し、空気と水相により形成される気／水界面上に親水性部分と疎水性部分を持つ両親媒性分子を滴下し、気／水界面上に両親媒性分子の単分子膜を形成し、ビーズ捕捉器先端を、疎水性部分を表面に持つビーズが入っている容器の上に移動し、ビーズ捕捉器先端を降下し、単一のビーズを捕捉し、ビーズ捕捉器先端を上昇させ、単一のビーズを気／水界面を形成した容器の上に移動し、気／水界面上に形成された両親媒性分子の単分子膜の上方から単一のビーズを気／水界面まで下降し、ビーズ表面の疎水性部分に含まれる官能基と両親媒性分子の疎水性部分に含まれる官能基を共有結合させ、単一のビーズの表面に両親媒性分子の単分子層を強固に形成し、該ビーズを捕捉しているビーズ捕捉器先端を再度気／水界面まで上昇し、該ビーズを気／水界面を通過して空気に上昇し、両親媒性分子の第一番目の単分子層上に両親媒性分子の第二番目の単分子層を固定することを特徴とする、表面に両親媒性分子の単分子層を固定したビーズの製造方法。
【請求項６】
請求項２または３に記載の表面に両親媒性分子の単分子層を固定したビーズの製造方法において、容器に油を注いで油相を作製し、油よりも比重が大きく疎水性部分を表面に持つビーズを容器に入れ、ビーズを油相に沈め、容器内の空気と油相により形成される気／油界面上に親水性部分と疎水性部分を持つ両親媒性分子を滴下し、両親媒性分子の単分子膜を形成し、ビーズ捕捉器先端を容器の上に移動し、ビーズ捕捉器先端を油相に沈め、油相にある単一のビーズを捕捉し、ビーズ捕捉器先端を上昇させ、単一のビーズを気／油界面まで上昇させ、ビーズ表面の疎水性部分に含まれる官能基と両親媒性分子の疎水性部分に含まれる官能基を共有結合させ、ビーズ表面に両親媒性分子の単分子層を形成することを特徴とする、表面に両親媒性分子の単分子層を固定したビーズの製造方法。
【請求項７】
請求項２または３に記載の表面に両親媒性分子の単分子層を固定したビーズの製造方法において、容器に油を注いで油相を作製し、空気と油相により形成される気／油界面上に、親水性部分と疎水性部分を持つ両親媒性分子を滴下し、気／油界面上に両親媒性分子の単分子膜を形成し、ビーズ捕捉器先端を、親水性部分を表面に持つビーズが入っている容器の上に移動し、ビーズ捕捉器先端を降下し、単一のビーズを捕捉し、ビーズ捕捉器先端を上昇し、単一のビーズを気／油界面を形成した容器の上に移動し、気／油界面上に形成された両親媒性分子の単分子膜の上方から単一のビーズを気／油界面まで下降させ、ビーズ表面の親水性部分に含まれる官能基と両親媒性分子の親水性部分に含まれる官能基を共有結合させ、単一のビーズの表面に両親媒性分子の単分子層を形成し、該ビーズを捕捉しているビーズ捕捉器先端を再度気／油界面まで上昇し、該ビーズを気／油界面を通過して空気に上昇し、両親媒性分子の第一番目の単分子層上に両親媒性分子の第二番目の単分子層を固定することを特徴とする、表面に両親媒性分子の単分子層を固定したビーズの製造方法。
【請求項８】
請求項２または３に記載の表面に両親媒性分子の単分子層を固定したビーズの製造方法において、容器に水を注いで水相を作製し、水よりも比重が大きく親水性部分を表面に持つビーズを容器に入れ、ビーズを水相に沈め、水相に親水性部分と疎水性部分を持つ両親媒性分子を滴下し、容器に水よりも比重が小さい油を静かに注ぎ、容器の水相の上に油相を作製し、容器内に水相と油相による油／水界面を形成し、該油／水界面上に両親媒性分子の単分子膜を形成し、ビーズ捕捉器先端を容器の上に移動し、ビーズ捕捉器先端を水相まで下降し、水相にある単一のビーズを捕捉し、ビーズ捕捉器先端を上昇し、単一のビーズを油／水界面まで上昇し、ビーズ表面の親水性部分に含まれる官能基と両親媒性分子の親水性部分に含まれる官能基を共有結合し、ビーズ表面に両親媒性分子の単分子層を形成することを特徴とする、表面に両親媒性分子の単分子層を固定したビーズの製造方法。
【請求項９】
請求項２または３に記載の表面に両親媒性分子の単分子層を固定したビーズの製造方法において、容器に水を注いで水相を作製し、水相に親水性部分と疎水性部分を持つ両親媒性分子を滴下し、容器に水よりも比重が小さい油を静かに注ぎ、容器の水相の上に油相を作製し、容器内に水相と油相による油／水界面を形成し、油／水界面上に両親媒性分子の単分子膜を形成し、ビーズ捕捉器先端を、疎水性部分を表面に持つビーズが入っている容器の上に移動し、ビーズ捕捉器先端を降下し、単一のビーズを捕捉し、ビーズ捕捉器先端を上昇し、単一のビーズを油／水界面を形成した容器の上に移動し、油／水界面上に形成された両親媒性分子の単分子膜の上方から単一のビーズを油／水界面まで下降し、ビーズ表面の疎水性部分に含まれる官能基と両親媒性分子の疎水性部分に含まれる官能基を共有結合し、単一のビーズの表面に両親媒性分子の単分子層を形成し、該ビーズを捕捉しているビーズ捕捉器先端を再度油／水界面まで上昇し、該ビーズを油／水界面を通過して油相に上昇し、両親媒性分子の第一番目の単分子層上に両親媒性分子の第二番目の単分子層を固定することを特徴とする、表面に両親媒性分子の単分子層を固定したビーズの製造方法。
【請求項１０】
請求項２または３に記載の表面に両親媒性分子の単分子層を固定したビーズの製造方法において、容器に水より比重の大きい油を注いで油相を作製し、油よりも比重が大きく疎水性部分を表面に持つビーズを容器に入れ、該ビーズを油相に沈め、油相に親水性部分と疎水性部分を持つ両親媒性分子を滴下し、容器に水を静かに注ぎ、容器の油相の上に水相を作製し、容器内の油相と水相により油／水界面を形成し、該油／水界面上に両親媒性分子の単分子膜を形成し、ビーズ捕捉器先端を容器の上に移動し、ビーズ捕捉器先端を油相に沈め、油相にある単一のビーズを捕捉し、ビーズ捕捉器先端を上昇し、該ビーズを油／水界面まで上昇し、ビーズ表面の疎水性部分に含まれる官能基と両親媒性分子の疎水性部分に含まれる官能基を共有結合し、該ビーズの表面に両親媒性分子の単分子層を形成することを特徴とする、表面に両親媒性分子の単分子層を固定したビーズの製造方法。
【請求項１１】
請求項２または３に記載の表面に両親媒性分子の単分子層を固定したビーズの製造方法において、容器に水より比重の大きい油を注いで油相を作製し、油相に親水性部分と疎水性部分を持つ両親媒性分子を滴下し、該容器に水を静かに注ぎ、容器の油相の上に水相を作製し、容器内に油相と水相による油／水界面を形成し、油／水界面上に両親媒性分子の単分子膜を形成し、ビーズ捕捉器先端を、親水性部分を表面に持つビーズが入っている容器の上に移動し、ビーズ捕捉器先端を降下し、単一のビーズを捕捉し、ビーズ捕捉器先端を上昇し、該ビーズを油／水界面を形成した容器の上に移動し、油／水界面上に形成された両親媒性分子の単分子膜の上方から該ビーズを油／水界面まで下降し、ビーズ表面の親水性部分に含まれる官能基と両親媒性分子の親水性部分に含まれる官能基を共有結合し、単一のビーズの表面に両親媒性分子の単分子層を強固に形成し、該ビーズを捕捉しているビーズ捕捉器先端を再度油／水界面まで上昇し、該ビーズを油／水界面を通過して水相に上昇し、両親媒性分子の第一番目の単分子層上に両親媒性分子の第二番目の単分子層を固定することを特徴とする、表面に両親媒性分子の単分子層を固定したビーズの製造方法。
【請求項１２】
請求項１に記載の表面に両親媒性分子を固定したビーズを軟質樹脂に形成したキャピラリ内に配列したキャピラリビーズアレイの製造方法。
【請求項１３】
請求項１２に記載の表面に両親媒性分子を固定したビーズを軟質樹脂に形成したキャピラリ内に配列したキャピラリビーズアレイの製造方法において、ビーズアレイヤのビーズ捕捉器先端に単一のビーズを捕捉し、請求項４乃至１１に記載の操作を行い、表面に両親媒性分子の単分子層を複数層固定したビーズを作製し、ビーズアレイヤのビーズ捕捉器先端を軟質樹脂上に形成したキャピラリの導入口まで移動し、ビーズアレイヤのビーズ捕捉器先端から該ビーズをリリースし、該ビーズをキャピラリの導入口に導入し、該キャピラリの排出口側から負圧をかけ該ビーズを導入口側から排出口側に移動し、排出口側のビーズストッパの位置でせき止め、該操作を複数回繰り返し、表面に両親媒性分子の単分子層を複数層固定したビーズを所定の個数並びに順序で配列してキャピラリビーズアレイを作製することを特徴とするキャピラリビーズアレイの製造方法。
【発明の詳細な説明】
【技術分野】
【０００１】
本発明は粒状ビーズの表面へのプローブ分子の固定方法に係り、特に粒状ビーズの表面に両親媒性分子の単分子層を複数層重ねて固定する固定方法に関する。
【背景技術】
【０００２】
表面にプローブ分子を固定したビーズを、軟質樹脂などの上に形成したキャピラリ内に所定の順番及び個数にて配列したキャピラリビーズアレイが下記特許文献１に記載されている。下記特許文献１には、キャピラリビーズアレイのビーズにＤＮＡプローブ分子を固定する従来技術が引用されている。この従来技術は、ＤＮＡプローブをプローブの種類毎に微粒子の表面に結合させるものであり、具体的には、固体表面へのＤＮＡプローブの固定は、（１）ビオチンとアビジンの結合を利用する方法、（２）Ａｕ（金）表面にＳＨ基を介して固定する方法（非特許文献１）、（３）ガラス表面に固定する方法（非特許文献２）、（４）ガラス表面に塗布したアクリルアミドゲルのエレメントマトリックスに固定する方法（非特許文献３）等を利用して、簡単に固体表面に多量のプローブＤＮＡを固定できるものである。特許文献１に記載の技術は、溶液中の化学反応を利用したプローブ分子の固定方法であり、溶媒に対する溶解度が十分に大きいプローブ分子に対して有効な方法であることを示唆している。即ち、この従来技術は溶媒に対する溶解度が十分に大きいプローブ分子をビーズの表面に固定する技術に関するものであって、溶媒に対する溶解度が極めて小さいプローブ分子をビーズの表面に固定する技術については記載されていない。
【０００３】
そこで、親水性部分と疎水性部分を持つ両親媒性分子に代表されるような溶媒に対する溶解度が極めて小さいプローブ分子を、配向を揃えてビーズの表面に固定する技術が必要であった。
【０００４】
図１２は、ビーズにプローブ分子を固定し、ビーズアレイヤのビーズ捕捉器先端にてプローブを固定した単一のビーズを捕捉する従来法の実施の形態を示す模式図である。容器101にプローブ分子102を均一に溶解した溶媒103を注ぐ。溶媒103中にビーズ104を入れる。プローブ分子102とビーズ104を含む溶媒103を所定の時間撹拌し、ビーズ104の表面の官能基105とプローブ分子102の官能基106を共有結合させ、ビーズ104の表面にプローブ分子102を固定する（図１２（ａ））。ビーズアレイヤのビーズ捕捉器先端107を容器101の上に移動し、溶媒103の中まで降下させ、表面にプローブ分子102を固定した単一のビーズ108を捕捉する（図１２（ｂ））。この従来法は、溶媒103に均一に溶解するプローブ分子102にのみ適用可能な方法であり、溶媒に対する溶解度が極めて小さい両親媒性分子に適用するのは極めて困難である。
【０００５】
【特許文献１】特開平１１−２４３９９７公報
【非特許文献１】Biophysical Journal 71, 1079-1086 （1996）
【非特許文献２】Analytical Biochemistry 247, 96-101（1997）
【非特許文献３】Proc. Natl. Acad. Sci. USA 93, 4913-4918（1996）
【発明の開示】
【発明が解決しようとする課題】
【０００６】
分子内に親水性部分と疎水性部分を両方持つ両親媒性分子の一群には、生化学的または免疫学的に非常に有用なプローブ分子である膜タンパク質やレセプターなどが含まれており、これらの両親媒性分子を粒状ビーズの表面に固定することは、ユーザにとって付加価値の高いキャピラリビーズアレイの製作に直結する問題である。両親媒性分子の特徴として、溶媒に対する溶解度が非常に小さいということが挙げられる。
【０００７】
特許文献１に記載されているビーズにプローブ分子を固定する従来技術では、プローブ分子を溶媒に溶解して均一な溶液とし、該溶液中の化学反応を利用してプローブ分子をガラス表面に固定する。従って、該従来技術では溶媒に対する溶解度の非常に小さい両親媒性分子をビーズの表面に固定することは極めて困難である。また、該従来技術では、溶液中のプローブ分子はランダムに運動しているため、ビーズの表面に固定するプローブ分子の方向が揃わないという危険性を孕んでいる。ビーズの表面に固定するプローブ分子の方向は、表面にプローブ分子を固定したビーズの化学的性質を大きく左右する問題である。
【０００８】
そこで、本発明は、静電引力、磁力などの物理力によってビーズを１個ずつ操作することのできるビーズ捕捉器先端を用いて、両親媒性分子をビーズの表面に対する方向を揃えて固定する方法を提供するとともに、該ビーズを軟質樹脂などの上に形成されたキャピラリ内に配列してキャピラリビーズアレイを製作する方法を提供し、ユーザにとって付加価値の高いキャピラリビーズアレイを提供することを目的とする。
【課題を解決するための手段】
【０００９】
本発明者は、鋭意研究した結果、空気と水により形成される気／水界面、または空気と油により形成される気／油界面、または油と水により形成される油／水界面のいずれかの界面に両親媒性分子の単分子膜を形成し、ビーズ捕捉器先端により単一の粒状ビーズを捕捉し、ビーズ捕捉器先端を該界面と垂直方向に移動させて該ビーズを両親媒性分子の単分子膜と垂直方向に移動させ、該ビーズの表面に両親媒性分子の単分子層を固定することによって上記課題が解決されることを見出し、本発明に到達した。
【００１０】
即ち、第１に、本発明は表面に両親媒性分子を固定したビーズの発明であり、表面に両親媒性分子の配向が揃った単分子層を複数層固定したビーズである。
【００１１】
ここで、ビーズとはガラスやプラスチック等から成り、粒径が数μｍから数十μｍの球状物である。具体的にはガラスビーズ、ポリスチレンビーズ、ポリプロピレンビーズ、磁気ビーズなどのビーズであり、フローサイトメーター等を利用してその蛍光発色等が読み取られているものである。
【００１２】
本発明の表面に両親媒性分子を固定したビーズでは、ビーズの表面に両親媒性分子の単分子層が複数層固定されていることを特徴とする。このため、単分子層を形成する両親媒性分子の種類や積層する単分子層の数を選択することによりビーズの表面に様々な機能を付与することが可能であり、ビーズを用いた生化学的又は免疫学的検査に極めて好適となるものである。
【００１３】
第２に、本発明は上記表面に両親媒性分子を固定したビーズの製造方法の発明であり、(1)空気と水により形成される気／水界面、(2)空気と油により形成される気／油界面、または(3)油と水により形成される油／水界面のいずれかの界面に両親媒性分子の単分子膜を形成し、ビーズ捕捉器先端により単一の粒状ビーズを捕捉し、ビーズ捕捉器先端を該界面と垂直方向に移動させて該ビーズを両親媒性分子の単分子膜と垂直方向に移動させ、該ビーズの表面に両親媒性分子の単分子層を固定し、該操作を複数回繰り返すことにより表面に両親媒性分子の単分子層を複数層固定したビーズを製造することを特徴とする。
【００１４】
また、本発明の表面に両親媒性分子を固定したビーズの製造方法においては、ビーズ捕捉器先端１本に付き１個のビーズを製造するものであり、複数本のビーズ捕捉器先端を同時に使用することにより、複数個の該ビーズを同時に製造可能であることは明らかである。
【００１５】
第３に、本発明は上記表面に両親媒性分子を固定したビーズを軟質樹脂等に形成したキャピラリ内に配列したキャピラリビーズアレイの製造方法の発明であり、(1)空気と水により形成される気／水界面、(2)空気と油により形成される気／油界面、または(3)油と水により形成される油／水界面のいずれかの界面に両親媒性分子の単分子膜を形成し、ビーズアレイヤのビーズ捕捉器先端により単一の粒状ビーズを捕捉し、ビーズアレイヤのビーズ捕捉器先端を該界面と垂直方向に移動させて該ビーズを両親媒性分子の単分子膜と垂直方向に移動させ、該ビーズの表面に両親媒性分子の単分子層を固定し、ビーズアレイヤのビーズ捕捉器先端を軟質樹脂上に形成したキャピラリの導入口まで移動させ、ビーズアレイヤのビーズ捕捉器先端から該ビーズをリリースし、該ビーズをキャピラリの導入口に導入し、該操作を複数回繰り返すことにより、表面に両親媒性分子を固定したビーズを所定の順序並びに個数で配列したキャピラリビーズアレイを作製するものである。
【発明の効果】
【００１６】
本発明によれば、容易且つ確実に、粒状ビーズの表面に、溶媒に対する溶解度が極めて小さい両親媒性分子を、分子の配向が揃った単分子層の状態で複数層固定することができる。又、該ビーズを軟質樹脂等で形成されたキャピラリ内部に配列し、キャピラリビーズアレイを製作することができる。生化学的または免疫学的に非常に有用な両親媒性分子を粒状ビーズの表面に固定するとともに、該ビーズを配列してキャピラリビーズアレイを製作し、ユーザにとって魅力的なビーズアレイ製品を提供することが可能である。
【発明を実施するための最良の形態】
【００１７】
図１（ａ）〜（ｄ）は、気／水界面上に製作した両親媒性分子の単分子膜を、親水性表面を持つビーズに固定する本発明の実施の形態を示す模式図である。
【００１８】
容器201に水を注いで水相202を作製した後、水よりも比重が大きく親水性部分203を表面に持つビーズ204を容器に入れ、ビーズ204を水相202に沈める。次に、容器201内の空気209と水相202により形成される気／水界面205の上に親水性部分206と疎水性部分207を持つ両親媒性分子208を滴下する。このとき、両親媒性分子208は親水性部分206を水相202の側に向け、疎水性部分207を空気209の側に向けて、気／水界面205に広がる薄膜を形成する。気／水界面205の面積を十分に広くすることにより、この両親媒性分子の薄膜は単分子膜210となる(図１（ａ）)。
【００１９】
ビーズ捕捉器先端211を容器201の上に移動し、ビーズ捕捉器先端を水相202に沈め、水相202にある単一のビーズ212を捕捉する。ビーズ捕捉器先端211を上昇させ、単一のビーズ212を気／水界面205まで上昇させる。ビーズ212の上昇に伴って気／水界面205がビーズ212の周辺で上方に引き上げられ、両親媒性分子の単分子膜の親水性部分206がビーズ212の表面に引き寄せられ、ビーズ表面の親水性部分203に含まれる官能基213と両親媒性分子の親水性部分206に含まれる官能基214が共有結合することにより、ビーズ表面に両親媒性分子の単分子層215が強固に形成される（図１（ｂ）、（ｃ）、（ｄ））。
【００２０】
ビーズ表面に形成される両親媒性分子の単分子層215は方向性を持ち、両親媒性分子の疎水性部分207を外側に、また親水性部分206をビーズ212側に向ける。即ち本発明では、両親媒性分子208の方向を揃えて親水性部分を表面に持つビーズ212に固定することが可能である（図１（ｃ）、（ｄ））。
【００２１】
図２（ａ）〜（ｅ）は、気／水界面上に作製した両親媒性分子の単分子膜を、疎水性表面を持つビーズに固定する本発明の実施の形態を示す模式図である。
【００２２】
容器301に水を注いで水相302を製作した後、空気309と水相302により形成される気／水界面305の上に、親水性部分306と疎水性部分307を持つ両親媒性分子308を滴下する。このとき、両親媒性分子308は親水性部分306を水相302の側に向け、疎水性部分307を空気309の側に向けて、気／水界面305に広がる薄膜を形成する。気／水界面305の面積を十分に広くすることにより、この両親媒性分子308の薄膜は単分子膜310となる（図２（ａ））。
【００２３】
ビーズ捕捉器先端311を、疎水性部分303を表面に持つビーズ304が入っている容器315の上に移動し、ビーズ捕捉器先端311を降下し、単一のビーズ312を捕捉する（図２ （ｂ））。
【００２４】
ビーズ捕捉器先端311を上昇させ、単一のビーズ312を容器301の上に移動し、気／水界面305の上に形成された両親媒性分子の単分子膜310の上方から単一のビーズ312を気／水界面305まで下降させる。単一のビーズ312の下降に伴って気／水界面305が下方に押し下げられるので、気／水界面305の上に形成された両親媒性分子の単分子膜310の疎水性部分307が単一のビーズ312の表面上に引き寄せられ、ビーズ表面の疎水性部分303に含まれる官能基313と両親媒性分子308の疎水性部分307に含まれる官能基314が共有結合することにより、単一のビーズ312の表面に両親媒性分子308の単分子層316が強固に形成される（図２ （ｃ）、（ｄ）、（ｅ））。
【００２５】
ビーズ表面に形成される両親媒性分子の単分子層316は方向性を持ち、両親媒性分子の親水性部分306を外側に、また疎水性部分307をビーズ312側に向ける。即ち本発明では、両親媒性分子308の方向を揃えて疎水性部分を表面に持つビーズ312に固定することが可能である（図２（ｄ）、（ｅ））。
【００２６】
次に、両親媒性分子308の単分子層316が固定された単一のビーズ312を捕捉しているビーズ捕捉器先端311をそのまま気／水界面305まで上昇させ、単一のビーズ312を気／水界面305を通過して空気309に上昇させることにより、両親媒性分子308の第一番目の単分子層316上に両親媒性分子308の第二番目の単分子層317を固定することが可能である。このとき、単一のビーズ312の表面に形成された両親媒性分子308の第二番目の単分子層317は、両親媒性分子の疎水性部分307を外側に、また親水性部分306を両親媒性分子308の第一番目の単分子層316側に向ける（図２（ａ）、（ｃ）、（ｄ）、（ｅ））。
【００２７】
図３（ａ）〜（ｄ）は、気／油界面上に製作した両親媒性分子の単分子膜を、疎水性表面を持つビーズに固定する本発明の実施の形態を示す模式図である。
【００２８】
容器401に油を注いで油相402を製作した後、油よりも比重が大きく疎水性部分403を表面に持つビーズ404を容器に入れ、ビーズ404を油相402に沈める。次に、容器401内の空気409と油相402により形成される気／油界面405の上に親水性部分406と疎水性部分407を持つ両親媒性分子408を滴下する。このとき、両親媒性分子408は疎水性部分407を油相402の側に向け、親水性部分406を空気409の側に向けて、気／油界面405に広がる薄膜を形成する。気／油界面405の面積を十分に広くすることにより、この両親媒性分子の薄膜は単分子膜410となる（図３（ａ）、（ｂ））。
【００２９】
ビーズ捕捉器先端411を容器401の上に移動し、ビーズ捕捉器先端を油相402に沈め、油相402にある単一のビーズ412を捕捉する。ビーズ捕捉器先端411を上昇させ、単一のビーズ412を気／油界面405まで上昇させる。ビーズ412の上昇に伴って気／油界面405がビーズ412の周辺で上方に引き上げられ、両親媒性分子の単分子膜の疎水性部分407がビーズ412の表面に引き寄せられ、ビーズ表面の疎水性部分403に含まれる官能基413と両親媒性分子の疎水性部分407に含まれる官能基414が共有結合することにより、ビーズ表面に両親媒性分子の単分子層415が強固に形成される（図３（ａ）、（ｂ）、（ｃ））。
【００３０】
ビーズ表面に形成される両親媒性分子の単分子層415は方向性を持ち、両親媒性分子の親水性部分406を外側に、また疎水性部分407をビーズ412側に向ける。即ち本発明では、両親媒性分子408の方向を揃えて疎水性部分を表面に持つビーズ412に固定することが可能である（図３（ｃ）、（ｄ））。
【００３１】
図４（ａ）〜（ｅ）は、気／油界面上に製作した両親媒性分子の単分子膜を、親水性表面を持つビーズに固定する本発明の実施の形態を示す模式図である。
【００３２】
容器501に油を注いで油相502を製作した後、空気509と油相502により形成される気／油界面505の上に、親水性部分506と疎水性部分507を持つ両親媒性分子508を滴下する。このとき、両親媒性分子508は疎水性部分507を油相502の側に向け、親水性部分506を空気509の側に向けて、気／油界面505に広がる薄膜を形成する。気／油界面505の面積を十分に広くすることにより、この両親媒性分子508の薄膜は単分子膜510となる（図４（ａ））。
【００３３】
ビーズ捕捉器先端511を、親水性部分503を表面に持つビーズ504が入っている容器515の上に移動し、ビーズ捕捉器先端511を降下し、単一のビーズ512を捕捉する（図４（ｂ）。
【００３４】
ビーズ捕捉器先端511を上昇させ、単一のビーズ512を容器501の上に移動し、気／油界面505の上に形成された両親媒性分子の単分子膜510の上方から単一のビーズ512を気／油界面505まで下降させる。単一のビーズ512の下降に伴って気／油界面505が下方に押し下げられるので、気／油界面505の上に形成された両親媒性分子の単分子膜510の親水性部分506が単一のビーズ512の表面上に引き寄せられ、ビーズ表面の親水性部分503に含まれる官能基513と両親媒性分子508の親水性部分506に含まれる官能基514が共有結合することにより、単一のビーズ512の表面に両親媒性分子508の単分子層516が強固に形成される（図４（ａ）、（ｃ）、（ｄ）、（ｅ））。
【００３５】
ビーズ表面に形成される両親媒性分子の単分子層516は方向性を持ち、両親媒性分子の疎水性部分507を外側に、また親水性部分506をビーズ512側に向ける。即ち本発明では、両親媒性分子508の方向を揃えて親水性部分を表面に持つビーズ512に固定することが可能である（図４（ｄ）、（ｅ））。
【００３６】
次に、両親媒性分子508の単分子層516が固定された単一のビーズ512を捕捉しているビーズ捕捉器先端511をそのまま気／油界面505まで上昇させ、単一のビーズ512を気／油界面505を通過して空気509に上昇させることにより、両親媒性分子508の第一番目の単分子層516上に両親媒性分子508の第二番目の単分子層517を固定することが可能である。このとき、単一のビーズ512の表面に形成された両親媒性分子508の第二番目の単分子層517は、両親媒性分子の親水性部分506を外側に、また疎水性部分507を両親媒性分子508の第一番目の単分子層516側に向ける（図４（ａ）、（ｄ）、（ｅ））。
【００３７】
図５（ａ）〜（ｄ）は、油／水界面上に製作した両親媒性分子の単分子膜を、親水性表面を持つビーズに固定する本発明の実施の形態を示す模式図である。
【００３８】
容器601に水を注いで水相602を製作した後、水よりも比重が大きく親水性部分603を表面に持つビーズ604を容器601に入れ、ビーズ604を水相602に沈める。水相602に親水性部分606と疎水性部分607を持つ両親媒性分子608を滴下する。容器601に水よりも比重が小さい油を静かに注ぎ、容器601の水相602の上に油相605を製作する。容器601内には水相602と油相605により油／水界面609が形成される。このとき、両親媒性分子608は親水性部分606を水相602の側に向け、疎水性部分607を油相605の側に向けて、油／水界面609に広がる薄膜を形成する。油／水界面609の面積を十分に広くすることにより、この両親媒性分子の薄膜は単分子膜610となる（図５（ａ）、（ｂ））。
【００３９】
ビーズ捕捉器先端611を容器601の上に移動し、ビーズ捕捉器先端を水相602まで下降し、水相602にある単一のビーズ612を捕捉する。ビーズ捕捉器先端611を上昇させ、単一のビーズ612を油／水界面609まで上昇させる。ビーズ612の上昇に伴って油／水界面609がビーズ612の周辺で上方に引き上げられ、両親媒性分子608の単分子膜の親水性部分606がビーズ612の表面に引き寄せられ、ビーズ表面の親水性部分603に含まれる官能基613と両親媒性分子608の親水性部分606に含まれる官能基614が共有結合することにより、ビーズ表面に両親媒性分子608の単分子層615が強固に形成される（図５（ａ）、（ｂ）、（ｃ）、（ｄ））。
【００４０】
ビーズ表面に形成される両親媒性分子の単分子層615は方向性を持ち、両親媒性分子の疎水性部分607を外側に、また親水性部分606をビーズ612側に向ける。即ち本発明では、両親媒性分子608の方向を揃えて親水性部分を表面に持つビーズ612に固定することが可能である（図５（ｃ）、（ｄ））。
【００４１】
図６（ａ）〜（ｅ）は、油／水界面上に製作した両親媒性分子の単分子膜を、疎水性表面を持つビーズに固定する本発明の実施の形態を示す模式図である。
【００４２】
容器701に水を注いで水相702を作製した後、水相702に親水性部分706と疎水性部分707を持つ両親媒性分子708を滴下する。容器701に水よりも比重が小さい油を静かに注ぎ、容器701の水相702の上に油相705を作製する。容器701内には水相702と油相705により油／水界面709が形成される。このとき、両親媒性分子708は親水性部分706を水相702の側に向け、疎水性部分707を油相705の側に向けて、油／水界面709に広がる薄膜を形成する。油／水界面709の面積を十分に広くすることにより、この両親媒性分子の薄膜は単分子膜710となる（図６（ａ））。
【００４３】
ビーズ捕捉器先端711を、疎水性部分703を表面に持つビーズ704が入っている容器715の上に移動し、ビーズ捕捉器先端711を降下し、単一のビーズ712を捕捉する（図６（ｂ））。
【００４４】
ビーズ捕捉器先端711を上昇させ、単一のビーズ712を容器701の上に移動し、油／水界面709の上に形成された両親媒性分子の単分子膜710の上方から単一のビーズ712を油／水界面709まで下降させる。単一のビーズ712の下降に伴って油／水界面709が下方に押し下げられるので、油／水界面709の上に形成された両親媒性分子の単分子膜710の疎水性部分707が単一のビーズ712の表面上に引き寄せられ、ビーズ表面の疎水性部分703に含まれる官能基713と両親媒性分子708の疎水性部分707に含まれる官能基714が共有結合することにより、単一のビーズ712の表面に両親媒性分子708の単分子層716が強固に形成される（図６（ｂ）、（ｃ）、（ｄ）、（ｅ））。
【００４５】
ビーズ712の表面に形成される両親媒性分子708の単分子層716は方向性を持ち、両親媒性分子の親水性部分706を外側に、また疎水性部分707をビーズ712側に向ける。即ち本発明では、両親媒性分子708の方向を揃えて疎水性部分703を表面に持つビーズ712に固定することが可能である（図６（ｄ）、（ｅ））。
【００４６】
次に、両親媒性分子708の単分子層716が固定された単一のビーズ712を捕捉しているビーズ捕捉器先端711をそのまま油／水界面709まで上昇させ、単一のビーズ712を油／水界面709を通過して油相705に上昇させることにより、両親媒性分子708の第一番目の単分子層716上に両親媒性分子708の第二番目の単分子層717を固定することが可能である。このとき、単一のビーズ712の表面に形成された両親媒性分子708の第二番目の単分子層717は、両親媒性分子の疎水性部分707を外側に、また親水性部分706を両親媒性分子708の第一番目の単分子層716側に向ける（図６（ａ）、（ｂ）、（ｄ）、（ｅ））。
【００４７】
図７（ａ）〜（ｄ）は、油／水界面上に製作した両親媒性分子の単分子膜を、疎水性表面を持つビーズに固定する本発明の実施の形態を示す模式図である。
【００４８】
容器801に水より比重の大きい油を注いで油相802を製作した後、油よりも比重が大きく疎水性部分803を表面に持つビーズ804を容器801に入れ、ビーズ804を油相802に沈める。油相802に親水性部分806と疎水性部分807を持つ両親媒性分子808を滴下する。容器801に水を静かに注ぎ、容器801の油相802の上に水相805を製作する。容器801内には油相802と水相805により油／水界面809が形成される。このとき、両親媒性分子808は親水性部分806を水相805の側に向け、疎水性部分807を油相802の側に向けて、油／水界面809に広がる薄膜を形成する。油／水界面809の面積を十分に広くすることにより、この両親媒性分子808の薄膜は単分子膜810となる（図7（ａ））。
【００４９】
ビーズ捕捉器先端811を容器801の上に移動し、ビーズ捕捉器先端を油相802に沈め、油相802にある単一のビーズ812を捕捉する。ビーズ捕捉器先端811を上昇させ、単一のビーズ812を油／水界面809まで上昇させる。ビーズ812の上昇に伴って油／水界面809がビーズ812の周辺で上方に引き上げられ、両親媒性分子の単分子膜の疎水性部分807がビーズ812の表面に引き寄せられ、ビーズ表面の疎水性部分803に含まれる官能基813と両親媒性分子808の疎水性部分807に含まれる官能基814が共有結合することにより、ビーズ812の表面に両親媒性分子808の単分子層815が強固に形成される（図7（ａ）、（ｂ）、（ｃ）、（ｄ））。
【００５０】
ビーズ812の表面に形成される両親媒性分子808の単分子層815は方向性を持ち、両親媒性分子808の親水性部分806を外側に、また疎水性部分807をビーズ812側に向ける。即ち本発明では、両親媒性分子808の方向を揃えて疎水性部分803を表面に持つビーズ812に固定することが可能である（図7（ｃ）、（ｄ）。
【００５１】
図８（ａ）〜（e）は、油／水界面上に製作した両親媒性分子の単分子膜を、親水性表面を持つビーズに固定する本発明の実施の形態を示す模式図である。
【００５２】
容器901に水より比重の大きい油を注いで油相902を製作した後、油相902に親水性部分906と疎水性部分907を持つ両親媒性分子908を滴下する。容器901に水を静かに注ぎ、容器901の油相902の上に水相905を製作する。容器901内には油相902と水相905により油／水界面909が形成される。このとき、両親媒性分子908は親水性部分906を水相905の側に向け、疎水性部分907を油相902の側に向けて、油／水界面909に広がる薄膜を形成する。油／水界面909の面積を十分に広くすることにより、この両親媒性分子908の薄膜は単分子膜910となる（図８（ａ））。
【００５３】
ビーズ捕捉器先端911を、親水性部分903を表面に持つビーズ904が入っている容器915の上に移動し、ビーズ捕捉器先端911を降下し、単一のビーズ912を捕捉する（図８（ｂ））。
【００５４】
ビーズ捕捉器先端911を上昇させ、単一のビーズ912を容器901の上に移動し、油／水界面909の上に形成された両親媒性分子908の単分子膜910の上方から単一のビーズ912を油／水界面909まで下降させる。単一のビーズ912の下降に伴って油／水界面909が下方に押し下げられるので、油／水界面909の上に形成された両親媒性分子908の単分子膜910の親水性部分906が単一のビーズ912の表面上に引き寄せられ、ビーズ表面の親水性部分903に含まれる官能基913と両親媒性分子908の親水性部分906に含まれる官能基914が共有結合することにより、単一のビーズ912の表面に両親媒性分子908の単分子層916が強固に形成される（図８（ａ）、（ｃ）、（ｄ）、（ｅ））。
【００５５】
ビーズ912の表面に形成される両親媒性分子908の単分子層916は方向性を持ち、両親媒性分子908の疎水性部分907を外側に、また親水性部分906をビーズ912側に向ける。即ち本発明では、両親媒性分子908の方向を揃えて親水性部分903を表面に持つビーズ912に固定することが可能である（図８（ｄ）、（ｅ））。
【００５６】
次に、両親媒性分子908の単分子層916が固定された単一のビーズ912を捕捉しているビーズ捕捉器先端911をそのまま油／水界面909まで上昇させ、単一のビーズ912を油／水界面909を通過して水相905に上昇させることにより、両親媒性分子908の第一番目の単分子層916上に両親媒性分子908の第二番目の単分子層917を固定することが可能である。このとき、単一のビーズ912の表面に形成された両親媒性分子908の第二番目の単分子層917は、両親媒性分子の親水性部分906を外側に、また疎水性部分907を両親媒性分子908の第一番目の単分子層916側に向ける（図８（ｃ）、（ｄ）、（ｅ））。
【００５７】
図９は、両親媒性分子の単分子膜を、親水性表面を持つビーズに複数層固定する本発明の実施の形態を示す模式図である。ビーズ捕捉器先端1001に親水性部分1002を表面に持つ単一のビーズ1003を捕捉したまま、図１から図８に示した本発明の実施の形態を複数回繰り返すことにより、ビーズ捕捉器先端1001に捕捉した親水性表面を持つ単一のビーズ1003の表面に、親水性部分1004と疎水性部分1005を持つ両親媒性分子1006の単分子層1007を複数層固定することが可能である。単分子層を構成する両親媒性分子1006の種類に制限はなく、層ごとに異なる両親媒性分子を固定することや、同一層内に多種類の両親媒性分子を固定することも可能である。
【００５８】
親水性表面を持つ単一のビーズ1003の表面に両親媒性分子1006の単分子層を偶数層、即ち２ｎ層（但しｎは正の整数）固定する場合、最も外側の第2n番目の単分子層1008は、両親媒性分子1006の親水性部分1004を外側に、また疎水性部分1005を両親媒性分子1006の第（２ｎ−１）番目の単分子層1009側に向ける（図９（ａ））。また、親水性表面を持つ単一のビーズ1010の表面に両親媒性分子1006の単分子層を奇数層、即ち（２ｎ−１）層（但しｎは正の整数）固定する場合、最も外側の第（２ｎ−１）番目の単分子層1011は、両親媒性分子1006の疎水性部分1005を外側に、また親水性部分1004を両親媒性分子1006の第（２ｎ−２）番目の単分子層1012側に向ける（図９（ｂ））。
【００５９】
図１０は、両親媒性分子の単分子膜を、疎水性表面を持つビーズに複数層固定する本発明の実施の形態を示す模式図である。ビーズ捕捉器先端1101に疎水性部分1102を表面に持つ単一のビーズ1103を捕捉したまま、図１から図８に示した本発明の実施の形態を複数回繰り返すことにより、ビーズ捕捉器先端1101に捕捉した疎水性表面を持つ単一のビーズ1103の表面に、親水性部分1104と疎水性部分1105を持つ両親媒性分子1106の単分子層1107を複数層固定することが可能である。単分子層を構成する両親媒性分子1106の種類に制限はなく、層ごとに異なる両親媒性分子を固定することや、同一層内に多種類の両親媒性分子を固定することも可能である。
【００６０】
疎水性表面を持つ単一のビーズ1103の表面に両親媒性分子1106の単分子層を偶数層、即ち２ｎ層（但しｎは正の整数）固定する場合、最も外側の第2n番目の単分子層1108は、両親媒性分子1106の疎水性部分1105を外側に、また親水性部分1104を両親媒性分子1106の第（２ｎ−１）番目の単分子層1109側に向ける（図１０（ａ））。また、疎水性表面を持つ単一のビーズ1110の表面に両親媒性分子1106の単分子層を奇数層、即ち（２ｎ−１）層（但しｎは正の整数）固定する場合、最も外側の第（２ｎ−１）番目の単分子層1111は、両親媒性分子1106の親水性部分1104を外側に、また疎水性部分1105を両親媒性分子1106の第（２ｎ−２）番目の単分子層1112側に向ける（図１０（ｂ））。
【００６１】
図１１は、表面に両親媒性分子の単分子層を複数層固定した単一のビーズを軟質樹脂等の成形体上に形成したキャピラリに導入し、キャピラリ内にビーズを配列してキャピラリビーズアレイを製作する本発明の実施の形態を示す模式図である。ビーズアレイヤのビーズ捕捉器先端1201に単一のビーズ1202を捕捉したまま、図９または図１０に示した本発明の実施の形態を行うことにより、表面に両親媒性分子1203の単分子層1204を複数層固定したビーズ1205を製作する。ビーズアレイヤのビーズ捕捉器先端1201を軟質樹脂上に形成したキャピラリ1206の導入口1207まで移動させ、ビーズアレイヤのビーズ捕捉器先端1201からビーズ1205をリリースし、ビーズ1205をキャピラリの導入口1207に導入する。キャピラリ1206の排出口1208側から負圧をかけてビーズ1205を導入口1207側から排出口1208側に移動させ、排出口1208側のビーズストッパ1209の位置でせき止める。この操作を複数回繰り返すことにより、表面に両親媒性分子1203の単分子層を複数層固定した単一のビーズ1205を所定の個数並びに順序で配列したキャピラリビーズアレイ1210を製作することが可能である。
【産業上の利用可能性】
【００６２】
本発明によれば、容易且つ確実に、粒状ビーズの表面に、溶媒に対する溶解度が極めて小さい両親媒性分子を、分子の配向が揃った単分子層の状態で複数層固定することができる。又、該ビーズを軟質樹脂等で形成されたキャピラリ内部に配列し、キャピラリビーズアレイを製作することができる。生化学的または免疫学的に非常に有用な両親媒性分子を粒状ビーズの表面に固定するとともに、該ビーズを配列してキャピラリビーズアレイを製作し、ユーザにとって魅力的なビーズアレイ製品を提供することが可能である。
【図面の簡単な説明】
【００６３】
【図１】本発明の気／水界面上に製作した両親媒性分子の単分子膜を、親水性表面を持つビーズに固定する実施例を示す。
【図２】本発明の気／水界面上に製作した両親媒性分子の単分子膜を、疎水性表面を持つビーズに固定する実施例を示す。
【図３】本発明の気／油界面上に製作した両親媒性分子の単分子膜を、疎水性表面を持つビーズに固定する実施例を示す。
【図４】本発明の気／油界面上に製作した両親媒性分子の単分子膜を、親水性表面を持つビーズに固定する実施例を示す。
【図５】本発明の油／水界面上に製作した両親媒性分子の単分子膜を、親水性表面を持つビーズに固定する実施例を示す。
【図６】本発明の油／水界面上に製作した両親媒性分子の単分子膜を、疎水性表面を持つビーズに固定する実施例を示す。
【図７】本発明の油／水界面上に製作した両親媒性分子の単分子膜を、疎水性表面を持つビーズに固定する実施例を示す。
【図８】本発明の油／水界面上に製作した両親媒性分子の単分子膜を、親水性表面を持つビーズに固定する実施例を示す。
【図９】本発明の両親媒性分子の単分子膜を、親水性表面を持つビーズに複数層固定する実施例を示す。
【図１０】本発明の両親媒性分子の単分子膜を、疎水性表面を持つビーズに複数層固定する実施例を示す。
【図１１】本発明の表面に両親媒性分子の単分子層を複数層固定した単一のビーズを軟質樹脂上に形成したキャピラリに導入し、キャピラリ内にビーズを配列してキャピラリビーズアレイを製作する実施例を示す。
【図１２】従来法のビーズにプローブ分子を固定し、ビーズアレイヤのビーズ捕捉器先端にてプローブを固定した単一のビーズを捕捉する実施例を示す。
【符号の説明】
【００６４】
１０１‥‥容器、１０２‥‥プローブ分子、１０３‥‥溶媒、１０４‥‥ビーズ、１０５‥‥ビーズ表面の官能基、１０６‥‥プローブ分子の官能基、１０７‥‥ビーズアレイヤのビーズ捕捉器先端、１０８‥‥単一のビーズ、
２０１‥‥容器、２０２‥‥水相、２０３‥‥ビーズ表面の親水性部分、２０４‥‥ビーズ、２０５‥‥気／水界面、２０６‥‥両親媒性分子の親水性部分、２０７‥‥両親媒性分子の疎水性部分、２０８‥‥両親媒性分子、２０９‥‥空気、２１０‥‥両親媒性分子の単分子膜、２１１‥‥ビーズ捕捉器先端、２１２‥‥単一のビーズ、２１３‥‥ビーズ表面の親水性部分に含まれる官能基、２１４‥‥両親媒性分子の親水性部分に含まれる官能基、２１５‥‥両親媒性分子の単分子層、
３０１‥‥容器、３０２‥‥水相、３０３‥‥ビーズ表面の疎水性部分、３０４‥‥ビーズ、３０５‥‥気／水界面、３０６‥‥両親媒性分子の親水性部分、３０７‥‥両親媒性分子の疎水性部分、３０８‥‥両親媒性分子、３０９‥‥空気、３１０‥‥両親媒性分子の単分子膜、３１１‥‥ビーズ捕捉器先端、３１２‥‥単一のビーズ、３１３‥‥ビーズ表面の疎水性部分に含まれる官能基、３１４‥‥両親媒性分子の疎水性部分に含まれる官能基、３１５‥‥容器、３１６‥‥両親媒性分子の第一番目の単分子層、３１７‥‥両親媒性分子の第二番目の単分子層、
４０１‥‥容器、４０２‥‥油相、４０３‥‥ビーズ表面の疎水性部分、４０４‥‥ビーズ、４０５‥‥気／油界面、４０６‥‥両親媒性分子の親水性部分、４０７‥‥両親媒性分子の疎水性部分、４０８‥‥両親媒性分子、４０９‥‥空気、４１０‥‥両親媒性分子の単分子膜、４１１‥‥ビーズ捕捉器先端、４１２‥‥単一のビーズ、４１３‥‥ビーズ表面の疎水性部分に含まれる官能基、４１４‥‥両親媒性分子の疎水性部分に含まれる官能基、４１５‥‥両親媒性分子の第一番目の単分子層、
５０１‥‥容器、５０２‥‥油相、５０３‥‥ビーズ表面の親水性部分、５０４‥‥ビーズ、５０５‥‥気／油界面、５０６‥‥両親媒性分子の親水性部分、５０７‥‥両親媒性分子の疎水性部分、５０８‥‥両親媒性分子、５０９‥‥空気、５１０‥‥両親媒性分子の単分子膜、５１１‥‥ビーズ捕捉器先端、５１２‥‥単一のビーズ、５１３‥‥ビーズ表面の親水性部分に含まれる官能基、５１４‥‥両親媒性分子の親水性部分に含まれる官能基、５１５‥‥容器、５１６‥‥両親媒性分子の第一番目の単分子層、５１７‥‥両親媒性分子の第二番目の単分子層、
６０１‥‥容器、６０２‥‥水相、６０３‥‥ビーズ表面の親水性部分、６０４‥‥ビーズ、６０５‥‥油相、６０６‥‥両親媒性分子の親水性部分、６０７‥‥両親媒性分子の疎水性部分、６０８‥‥両親媒性分子、６０９‥‥油／水界面、６１０‥‥両親媒性分子の単分子膜、６１１‥‥ビーズ捕捉器先端、６１２‥‥単一のビーズ、６１３‥‥ビーズ表面の親水性部分に含まれる官能基、６１４‥‥両親媒性分子の親水性部分に含まれる官能基、６１５‥‥両親媒性分子の第一番目の単分子層
７０１‥‥容器、７０２‥‥水相、７０３‥‥ビーズ表面の疎水性部分、７０４‥‥ビーズ、７０５‥‥油相、７０６‥‥両親媒性分子の親水性部分、７０７‥‥両親媒性分子の疎水性部分、７０８‥‥両親媒性分子、７０９‥‥油／水界面、７１０‥‥両親媒性分子の単分子膜、７１１‥‥ビーズ捕捉器先端、７１２‥‥単一のビーズ、７１３‥‥ビーズ表面の疎水性部分に含まれる官能基、７１４‥‥両親媒性分子の疎水性部分に含まれる官能基、７１５‥‥容器、７１６‥‥両親媒性分子の第一番目の単分子層、７１７‥‥両親媒性分子の第二番目の単分子層、
８０１‥‥容器、８０２‥‥油相、８０３‥‥ビーズ表面の疎水性部分、８０４‥‥ビーズ、８０５‥‥水相、８０６‥‥両親媒性分子の親水性部分、８０７‥‥両親媒性分子の疎水性部分、８０８‥‥両親媒性分子、８０９‥‥油／水界面、８１０‥‥両親媒性分子の単分子膜、８１１‥‥ビーズ捕捉器先端、８１２‥‥単一のビーズ、８１３‥‥ビーズ表面の疎水性部分に含まれる官能基、８１４‥‥両親媒性分子の疎水性部分に含まれる官能基、８１５‥‥両親媒性分子の第一番目の単分子層
９０１‥‥容器、９０２‥‥油相、９０３‥‥ビーズ表面の親水性部分、９０４‥‥ビーズ、９０５‥‥水相、９０６‥‥両親媒性分子の親水性部分、９０７‥‥両親媒性分子の疎水性部分、９０８‥‥両親媒性分子、９０９‥‥油／水界面、９１０‥‥両親媒性分子の単分子膜、９１１‥‥ビーズ捕捉器先端、９１２‥‥単一のビーズ、９１３‥‥ビーズ表面の親水性部分に含まれる官能基、９１４‥‥両親媒性分子の親水性部分に含まれる官能基、９１５‥‥容器、９１６‥‥両親媒性分子の第一番目の単分子層、９１７‥‥両親媒性分子の第二番目の単分子層、
１００１‥‥ビーズ捕捉器先端、１００２‥‥ビーズ表面の親水性部分、１００３‥‥単一のビーズ、１００４‥‥両親媒性分子の親水性部分、１００５‥‥両親媒性分子の疎水性部分、１００６‥‥両親媒性分子、１００７‥‥両親媒性分子の第一番目の単分子層、１００８‥‥両親媒性分子の第２ｎ番目の単分子層、１００９‥‥両親媒性分子の第（２ｎ−１）番目の単分子層、１０１０‥‥単一のビーズ、１０１１‥‥両親媒性分子の第（２ｎ−１）番目の単分子層、１０１２‥‥両親媒性分子の第（２ｎ−２）番目の単分子層、
１１０１‥‥ビーズ捕捉器先端、１１０２‥‥ビーズ表面の疎水性部分、１１０３‥‥単一のビーズ、１１０４‥‥両親媒性分子の親水性部分、１１０５‥‥両親媒性分子の疎水性部分、１１０６‥‥両親媒性分子、１１０７‥‥両親媒性分子の第一番目の単分子層、１１０８‥‥両親媒性分子の第２ｎ番目の単分子層、１１０９‥‥両親媒性分子の第（２ｎ−１）番目の単分子層、１１１０…・単一のビーズ、１１１１‥‥両親媒性分子の第（２ｎ−１）番目の単分子層、１１１２‥‥両親媒性分子の第（２ｎ−２）番目の単分子層、
１２０１‥‥ビーズアレイヤのビーズ捕捉器先端、１２０２‥‥単一のビーズ、１２０３‥‥両親媒性分子、１２０４‥‥両親媒性分子の単分子層、１２０５‥‥単一のビーズ、１２０６‥‥キャピラリ、１２０７‥‥キャピラリの導入口、１２０８‥‥キャピラリの排出口、１２０９‥‥キャピラリのビーズストッパ、１２１０‥‥キャピラリビーズアレイ。
【図１】
2005114576.tif 000003
【図２】
2005114576.tif 000004
【図３】
2005114576.tif 000005
【図４】
2005114576.tif 000006
【図５】
2005114576.tif 000007
【図６】
2005114576.tif 000008
【図７】
2005114576.tif 000009
【図８】
2005114576.tif 000010
【図９】
2005114576.tif 000011
【図１０】
2005114576.tif 000012
【図１１】
2005114576.tif 000013
【図１２】
2005114576.tif 000014